(57)【要約】【課題】  木材を割り箸状に細長く切断した細割材を積層した積層材であって、性質、特に強度が全体的に均一化した積層材の提供。【解決手段】  細割材を赤太細割材１と白太細割材２とに分離し、全体が均一化するように赤太細割材１，１・・と白太細割材２，２・・を規則正しく配列して構成している。【選択図】    図１
2007290267.tif 000002
【特許請求の範囲】
【請求項１】
木材を割り箸状に細長く切断した細割材を積層した積層材において、上記細割材を赤太細割材と白太細割材とに分離し、全体が均一化するように赤太細割材と白太細割材を規則正しく配列して構成したことを特徴とする積層木材。
【請求項２】
木材を割り箸状に細長く切断した細割材を積層した積層材において、上記細割材を比較的短い赤太細割片と白太細割片とに分離し、全体が均一化するように赤太細割片と白太細割片を規則正しく配列して構成したことを特徴とする積層木材。
【請求項３】
上記赤太細割材及び赤太細割片と白太細割材及び白太細割片を節の有無を区別して配列した請求項１、又は請求項２記載の積層木材。
【請求項４】
種類の異なる木材から赤太細割材又は赤太細割片、及び白太細割材又は白太細割片を採取して用いた請求項１、請求項２、又は請求項３記載の積層木材。
【発明の詳細な説明】
【技術分野】
【０００１】
本発明は積層木材に関するものであり、木材の辺材部と心材部をバランス良く配列して構成する積層材である。
【背景技術】
【０００２】
柱や梁、板材などの木質系構造用材としては、原木を所定の寸法・形状にカットした製材品が最も一般的である。製材品は、通常１００ｍｍ以上の径を有する木材から形成され、立木本体からの収率は５０〜６０％、枝部まで含めた１本の立木からの得られる製材品の収率は３０〜５０％程度にまで低下してしまう。さらに、製材品は多くの場合に節などの欠点を有することになるが、その場合、製材品の強度は木材固有の強度に比較して著しく低下せざるを得ない。すなわち、節を有する製材品の強度は、節を有しないものに比べて４０〜５０％低下するといわれる。
【０００３】
近年、木材資源の不足や地球規模での森林の保護が問題となってきており、森林をむやみに伐採して木材資源を得ることが大きく制限されてきている。そこで、これまで必ずしも有効に利用されていなかった小径木、竹、製材時に派生する背板や建築廃材等を有効に活用すべく、これらを繊維長手方向に割裂してストランドと称される割り箸状の木質材を得、これにフェノール樹脂等の熱硬化性樹脂接着剤を塗布して多数積層し、スチームインジェクションプレスや高周波プレスその他ホットプレス等で熱圧締成形することによって、大きな断面積をもつ棒状又は板状の木質積層材が多用されている。この積層材は木材資源の有効利用と共に、積層されることでその強度は原木の製材品に比較して大きく向上するといった利点がある。
【０００４】
特開平７−１９５３１３号に係る「割裂片積層材とその製造方法および装置」は、木、竹等の原材を繊維長手方向に割裂し、前記工程で得た割材をその長手方向にさらに細く割裂して得られた細割材を乾燥し、乾燥後に接着剤が塗布された細割材をそれぞれ長手方向に並設して単層を形成し、この単層を複数に積層して加熱・圧締することにより形成される割裂片積層材とその製造法ならびに製造装置である。
【０００５】
特開平１１−１０５００５号に係る「単板積層材」は、優れた寸法安定性を確保した上で腐食を確実に抑止することができるようにしたものであり、複数枚の単板を積層することによって得られる単板積層材であって、表面が外気に曝される表裏一対の表層単板と、これら一対の表層単板に接着剤を介して挟持された内層単板とから構成され、上記表層単板には木材の寸法安定性を向上させる合成樹脂が含浸されている。
【０００６】
これらの他にも積層材に関する技術は数多く出願されている。しかし従来の積層材は、割り箸状に切断した細割材を乾燥し、これを配列した構造となっている。しかし、全ての細割材の性質、特に強度は均一でなく、この細割材をランダムに配列して構成される積層材の強度は基本的に均一とならない。すなわち、部分的に弱い箇所が発生する。従って、強度が必要な柱や梁の場合には個々の細割材の強度を調べて積層しなくてはならなくなる。
【特許文献１】特開平７−１９５３１３号に係る「割裂片積層材とその製造方法および装置」
【特許文献２】特開平１１−１０５００５号に係る「単板積層材」
【発明の開示】
【発明が解決しようとする課題】
【０００７】
このように従来の積層材には上記のごとき問題がある。本発明が解決しようとする課題はこの問題点であり、性質、特に強度が全体にわたって均一化される積層材を提供する。一方においては外観の向上を図った積層材を提供する。
【課題を解決するための手段】
【０００８】
本発明に係る積層材は全体強度が均一化して構成されている。天然の木材は周辺部と心材部とに区分され、心材部は赤太、周辺部は白太と称され、心材部の赤太は赤く、周辺部の白太は白色を呈している。ところで、心材部の赤太と周辺部の白太とではその密度が多少異なっており、強度面においても違いを生じる。例えば、杉材の場合には心材部密度が０．３８〜０．４ｇ／ｃｍ３であるのに対して、周辺部密度は０．３〜０．３５ｇ／ｃｍ３となる。これら密度の差が強度に影響し、密度の高い心材部の強度は高く、周辺部の強度は低くなる。
【０００９】
ところで、木材を細長く切断して細割材を製作し、この細割材を赤太と白太に分類し、赤太と白太が均等に分散するように配列される積層構造とする。すなわち、赤太が一部に偏ったり、白太が部分的に偏ることがないように配列した構造としている。従って、赤太と白太の密度の違いに基づく強度差、収縮差が是正されて積層材全体の性質は均一化される。ここで、積層材の形態は柱、梁、板材とし、その用途は問わない。
【発明の効果】
【００１０】
本発明に係る積層材は密度及びその他の性質が多少異なる赤太と白太から成る細割材を一部に偏ることなく均一に配列した構造としている為に、積層材は全体的に均一化した性質、特に均一化した強度となる。特に強度を要する柱や梁の場合に、個々の細割材の強度を確かめて使用する必要がなく、赤太と白太を識別して均等に配列するだけで均一な強度の積層材が得られる。
【００１１】
一方、赤太と白太を規則正しく配列することで、積層材の表面は赤と白との模様を規則正しく形成することが出来、外観的にも好ましい。従来では赤太と白太がランダムに配列されることで積層材の外観が損なわれているが、本発明では強度の均一化の他に外観の向上が図られる。勿論、配列方法は特に限定しないことにすることから、形成される模様は多種多様化する。
【実施例】
【００１２】
図１は本発明に係る積層材を示す実施例であり、床材の表面を表している。同図の斜線部は赤太細割材１、白部は白太細割材２を表している。(ａ)に示す床材は長い赤太細割材１，１・・と長い白太細割材２，２・・とが交互に配列して構成された積層材である。このように赤太細割材１，１・・と白太細割材２，２・・を交互に配列することで、強度の低い白太細割材２と赤太細割材１がバランスして床材全体が均等な強度となる。そして、赤色の赤太細割材１，１・・と白色の白太細割材２，２・・とがランダムでなく交互に配列することで外観的にも好ましくなる。
【００１３】
図１(ｂ)に示す床材は比較的短い赤太細割片３，３・・と白太細割片４，４・・が使用され、１本の細割材５は上記赤太細割片３，３・・と白太細割片４，４・・とが交互に配列している。そして、複数の細割材５，５・・が幅方向に配列して床材が構成されている。この場合、赤太細割片３，３・・と白太細割片４，４・・の位置が１／２ピッチだけズレて階段状の模様と成っている。この床材は図１(ａ)の床材に比較して、赤太細割片３及び白太細割片４の長さ寸法が短いために、より均一な積層材となる。
【００１４】
図１(ｃ)に示す床材の場合も(ｂ)の床材と同じく、比較的短い赤太細割片３，３・・と白太細割片４，４・・が使用され、１本の細割材５は上記赤太細割片３，３・・と白太細割片４，４・・とが交互に配列している。そして、複数の細割材５，５・・が幅方向に配列して床材が構成されている。この場合、赤太細割片３，３・・と白太細割片４，４・・の位置が１／２ピッチだけ交互にズレて配列した構造と成っている。
【００１５】
図２はある太さの木材６を細かく切断して赤太細割片３，３・・と白太細割片４，４・・を製作する場合である。同図の(ｂ)に示すように、木材は細かく切断されて細割材又は該細割材を短く切断した細割片となる。同図に示す木材６の中央部の点線で示す円形内部は赤太部７であり、それより外側部分は白太部８を表している。これを同図のように細い割り箸状に切断するならば、赤太細割片３，３・・、白太細割片４，４・・、赤太と白太の両方を有す赤白太細割片、節を有す節有り細割片、節無し細割片に分けることが出来る。
【００１６】
上記図１(ａ)に示した床材の積層構造は赤太細割材１と白太細割材２との組み合わせであり、又(ｂ)、(ｃ)に示す床材は長さの短い赤太細割片３と白太細割片４との組み合わせ構造を表している。これらの他に節有り細割片、節無し細割片との組み合わせ構造とすることも出来る。勿論、この節有り細割片及び節無し細割片も色彩上は赤太細割片と白太細割片の一部として使用することが出来る。
【００１７】
木材にはスギ、ヒノキ、アカマツ、エゾマツ、カラマツ、ケヤキなど多種多様な材質が使用されているが、赤太部と白太部とに分離されない木材は本発明の対象から外される。しかし、種類の異なる木材との組み合わせで赤太細割材と白太細割材を使用することもあり、本発明の積層材は赤太細割片と白太細割片とが規則正しく配列した積層構造であり、性質、収縮性、強度の均一化だけでなく、外観の向上を図っている。
【図面の簡単な説明】
【００１８】
【図１】床板の積層構造を示す実施例。
【図２】木材を切断して赤太細割片と白太細割片を製作する場合。
【符号の説明】
【００１９】
１  赤太細割材
２  白太細割材
３  赤太細割片
４  白太細割片
５  細割材
６  木材
７  赤太部
８  白太部
【図１】
2007290267.tif 000003
【図２】
2007290267.tif 000004